【事件の表示】
　特許第２７８７４５２号「重ね合わせシートの作成方法」の特許に対する特許異議の申立てについて、次のとおり決定する。
【結　論】
　訂正を認める。
　特許第２７８７４５２号の特許を維持する。
【理　由】
１．手続の経緯
　本件特許第２７８７４５２号は、昭和６３年１０月１４日に出願され、平成１０年６月５日に特許権の設定の登録があり、特許掲載公報が平成１０年８月２０日に発行され、その後、平成１１年２月１９日付けで輪湖茂より特許異議の申立てがあり、取消理由を通知したところ、その指定期間内である平成１１年１２月２８日に特許異議意見書の提出と共に訂正請求がされたものである。
　
２．訂正の適否
(1)訂正の内容
　当該訂正は、次の事項を内容とするものである。
訂正事項ａ：
　請求項１の記載、
「重ね合わせた際上位側に位置する上シートと下位側に位置する下シートとを備えたシートの前記上シートと前記下シートにそれぞれ可変情報をプリントアウトした後、前記シートを切り重ね、または折り重ねることにより、前記上シートと前記下シートのプリント面を対向させて、前記上シートと前記下シートとを重ね合わせる過程の途上において、前記両シートの重ね合わせ面に前記両シートを剥離可能に接着しうる接着構成を両面側に有する中間シートを、前記両シート間に挿入し、この中間シートの接着構成を介して前記両シートを剥離可能に接着して一体化することを特徴とする重ね合わせシートの作成方法」を、
「重ね合わせた際上位に位置する連続上シートと下位側に位置する連続下シートとを備えた連続シートの前記連続上シートと前記連続下シートにそれぞれ可変情報を連続的にプリントアウトした後、前記連続シートを連続方向に連続的に切り重ね、または連続方向に連続的に折り重ねることにより、前記連続上シートと前記連続下シートのプリント面を対向させて、前記連続上シートと前記連続下シートとを連続的に重ね合わせる過程の途上において、前記両連続シートの重ね合わせ面に前記両連続シートを剥離可能に接着しうる接着構成を両面側に有する連続中間シートを、前記連続両シート間に両連続シートの連続方向に沿って連続的に挿入し、この連続中間シートの接着構成を介して前記両連続シートを剥離可能に連続的に接着して一体化した後、順次単位傘ね合わせシート面に分断することを特徴とする重ね合わせシートの作成方法」と訂正する。
訂正事項ｂ：
　上記ａの訂正に伴い、発明の詳細な説明の欄および図面の対応する箇所の記載を訂正する。
　
(2)訂正の目的の適否及び新規事項の追加、拡張・変更の存否
　上記訂正事項ａは、重ね合わせシートの作成方法が、連続シートから作成する場合と単片状態のシートから作成する場合とを含むものであったものを、連続シートから作成する場合に限定するものであって、特許請求の範囲の減縮に該当する。
　また、上記訂正事項ｂは、訂正ａに伴い、特許請求の範囲の記載と発明の詳細な説明の欄および図面の記載との整合をとるものであり、明りょうでない記載の釈明に該当する。
　そして、いずれの訂正事項も、願書に添付した明細書に記載した事項の範囲内の事項であり、かつ、実質上特許請求の範囲を拡張するものでも、変更するものでもないと認める。
　
(3)独立特許要件の判断
 (A)訂正明細書に係る発明
　訂正明細書の請求項１に係る発明（以下、「訂正発明」という。）は、訂正明細書の記載からみて、その特許請求の範囲の請求項１に記載されたとおりのものと認める。〔その記載事項は、前記(1)参照。〕
　
 (B)刊行物等
　当審が通知した取消理由で引用した、実願昭61-186507号(実開昭63-92384号)のマイクロフィルム（以下、「引用例１」という。）、特開昭63-183894号公報（以下、「引用例２」という。）、特願昭62-173469号(特開平1-16691号)（以下、「引用例３」という。）、特願昭62-193028号(特開平1-36493号)（以下、「引用例４」という。）、特願昭63-39106号(特開平1-214484号)（以下、「引用例５」という。）、実願昭63-12070号(実開平1-117669号)（以下、「引用例６」という。）、実願昭63-101834号(実開平2-22874号)（以下、「引用例７」という。）には、概略次の発明が記載されている。
・引用例１：
「透視可能なシートどうしが剥離可能に接着されるとおもに、シートの接着面とは反対側の各面には、それぞれ粘着剤を介して剥離紙が剥離自在に貼着されたことを特徴とするラベルシート」（実用新案登録請求の範囲）
・引用例２：
「中央折り線で裏面を内に折り重ねることができる２葉からなり、片葉の表面に少なくとも郵便はがき又はそれに相当する文字が表示されると共に各葉の裏面の中央折り線側を除く周囲三方に糊代が設けられたシート材、及びそのシートの折り重ね時に間に挟み、各葉の裏面を糊代部分を除いて剥離可能に互いに密着させるための両面粘着フィルムから構成され、且つその両面粘着フィルムを挟んでシート材を折り重ね、各葉の裏面を互いに密着させると共に互いに対向する各葉の裏面を互いに密着させた状態において、寸法規格及び重量規格を含む通常はがき規格を満足するものである通常はがき材」（特許請求の範囲１）
・引用例３：
「中央折り線で裏面を内に折り重ねることができる２葉からなり、片葉の表面に少なくとも郵便はがき又はそれに相当する文字が表示されると共に各葉の裏面の中央折り線側を除く周囲三方に糊代が設けられたシート材、及びそのシートの折り重ね時に間に挟み、各葉の裏面を糊代部分を除いて剥離可能に互いに密着させるための両面粘着フィルムから構成され、且つその両面粘着フィルムを挟んでシート材を折り重ね、各葉の裏面を互いに密着させると共に互いに対向する各葉の裏面を互いに密着させた状態において、寸法規格及び重量規格を含む通常はがき規格を満足するものである通常はがき材」（特許請求の範囲１）
・引用例４：
「中央折り線で裏面を内に折り重ねることができる２葉からなり、各葉の裏面が、その中央折り線を除く外周端縁にある小面積の非接着域裏面とそれを除く大面積の接着域裏面とに中央折り線を挟んで対称的に区分され、片葉の表面に少なくとも郵便はがき又はそれに相当する文字が表示されたシート材、及び２枚のフィルムを疑似接着層を介して剥離可能に密着させてなり、シートの折り重ね時に各フィルムが各葉の接着域裏面と剥離不能に接着するように介在する透明な疑似接着積層体から構成され、且つ各葉の接着域裏面の接着後において寸法規格及び重量規格を含む通常はがき規格を満足するものである通常はがき材」（特許請求の範囲１）
・引用例５：
「連続した一対の紙片を折り重ねると共にその間に、一対の透明フィルムの両内面を剥離可能に且つ剥離後は接着性を示さないように疑似接着してなる疑似接着体を挟み、各紙片の内面及びそれと対向する各透明フィルムの外面を剥離不能に完全接着してなる重ね通信シート」〔特許請求の範囲(1)〕
・引用例６：
「表面に所定の印刷を施したシート２を中央部２Ａの表面に一方の扉部２Ｂが裏面に他方の扉部２Ｃが夫々対向するようにＺ−字状に三折りした構造のカード基材１と、
　溶融状態での圧着により互いに剥離可能に融着された異なった材質の二層の熱可塑性樹脂層４、５から少なくともなりかつ前記カード基材１の少なくともなりかつ前記カード基材１の少なくとも一つの対向面２Ａ−２Ｂ（２Ａ−２Ｃ）の間に接着挟持されるフィルム複合体３とからなることを特徴とする展開可能な積層カード」〔実用新案登録請求の範囲(1)〕
・引用例７：
「ベース層と該ベース層の両面の熱接着樹脂との３層から成り、かつ該３層間のうち少なくても２層間にアンカーコートのないラミネートフィルムと、該ラミネートフィルムを挟着するための実質的に２枚の葉書大の紙葉との組み合わせに成る、層間剥離可能なラミネート式郵便葉書」（実用新案登録請求の範囲）
　
 (C)対比・判断
　訂正発明は、訂正明細書および図面の記載からみて、重ね合わせシートを連続して作成する方法に係るものと解されるが、引用例１および引用例２は、重ね合わせたシートの開示に留まり、連続して作成する方法に関する記載は見当たらない。そうすると、連続方法に関する開示のない引用例１もしくは引用例２に、訂正発明が記載されていたとすることはできず、訂正発明が各引用例の記載に基づいて容易に発明をすることができたものであるとすることもできない。
　よって、引用例１および引用例２をもってしては、訂正発明が特許法第２９条第２項の規定に違反するものとすることはできない。
　また、本件に係る出願より先の出願であって、本件出願後に出願公開されたものに係る引用例３〜７においても、積み重ねシートを連続して形成する方法が記載されているものではなく、訂正発明がそれらに記載された発明と同一であるとすることもできず、特許法第２９条の２の規定に違反しているとすることもできない。
　したがって、引用例１および７をもってしては訂正発明を特許出願の際、独立して特許を受けることができない発明とすることはできない。
　また、他に、訂正発明について特許を受けることができない発明とする理由は見い出せない。
　
(4)結論
　以上のとおりであるから、上記訂正請求は、特許法第１２０条の４第２項及び第３項で準用する第１２６条第２項ないし第４項の規定に適合するので、当該訂正を認める。
　
３．特許異議の申立てについて
(1)申立ての理由の概要
　異議申立人　輪湖　茂　は、証拠として、甲第１号証：実願昭61-186507号(実開昭63-92384号)のマイクロフィルム、甲第２号証：特開昭63-183894号公報、甲第３号証：特願昭62-173469号(特開平1-16691号)、甲第４号証：特願昭62-193028号(特開平1-36493号)、甲第５号証：特願昭63-39106号(特開平1-214484号)、甲第６号証：実願昭63-12070号(実開平1-117669号)、甲第７号証：実願昭63-101834号(実開平2-22874号)を提出し、本件請求項１に係る発明は甲第１号証又は甲第２号証に記載された発明であり、或いはそれらの発明に基づいて当業者が容易になし得た発明である旨、さらに、本件特許の出願後に出願公開された先願である甲第３号証〜甲第７号証の出願当初の明細書及び図面に記載された発明であるから、当該発明に係る特許は、特許法第２９条第１項第３号、同法第２９条第２項、同法第２９条の２の各規定に違反してなされたものである旨主張する。
　
(2)判断
　本件に係る発明は、上記訂正請求が認められた結果、訂正明細書の特許請求の範囲の請求項１に記載されたとおりのものと認める。
　甲号各証の記載を検討するが、甲第１号証〜甲第７号証は、上記引用例１〜引用例７とそれぞれ同一のものであり、それらの記載事項およびそれらに記載された発明との対比・判断は、前記２の(3)に述べたとおりである。
　したがって、上記甲号各証をもってしては、本件請求項１に係る発明が、甲第１号証又は甲第２号証に記載された発明であるとも、それらの発明に基づいて当業者が容易に発明をすることができた発明であるとも、さらに、先願である甲第３号証〜甲第７号証に係る出願の出願当初の明細書及び図面に記載された発明であるとも認めることができない。
　
(3)むすび
　以上のとおりであるから、特許異議の申立ての理由及び証拠によっては、本件請求項１に係る特許を取り消すことはできない。
　また、他に本件請求項１に係る特許を取り消すべき理由を発見しない。
　よって、結論のとおり決定する。 
【異議決定日】
平成１２年３月７日（２０００．３．７）
【訂正の要旨】
１．訂正事項ａ．
　請求項１の記載、
　「重ね合わせた際上位側に位置する上シートと下位側に位置する下シートとを備えたシートの前記上シートと前記下シートにそれぞれ可変情報をプリントアウトした後、前記シートを切り重ね、または折り重ねることにより、前記上シートと前記下シートのプリント面を対向させて、前記上シートと前記下シートとを重ね合わせる過程の途上において、前記両シートの重ね合わせ面に前記両シートを剥離可能に接着しうる接着構成を両面側に有する中間シートを、前記両シート間に挿入し、この中間シートの接着構成を介して前記両シートを剥離可能に接着して一体化することを特徴とする重ね合わせシートの作成方法」
を、特許請求の減縮を目的として、
　「重ね合わせた際上位に位置する連続上シートと下位側に位置する連続下シートとを備えた連続シートの前記連続上シートと前記連続下シートにそれぞれ可変情報を連続的にプリントアウトした後、前記連続シートを連続方向に連続的に切り重ね、または連続方向に連続的に折り重ねることにより、前記連続上シートと前記連続下シートのプリント面を対向させて、前記連続上シートと前記連続下シートとを連続的に重ね合わせる過程の途上において、前記両連続シートの重ね合わせ面に前記両連続シートを剥離可能に接着しうる接着構成を両面側に有する連続中間シートを、前記連続両シート間に両連続シートの連続方向に沿って連続的に挿入し、この連続中間シートの接着構成を介して前記両連続シートを剥離可能に連続的に接着して一体化した後、順次単位傘ね合わせシート面に分断することを特徴とする重ね合わせシートの作成方法」
と訂正する。
２．訂正事項ｂ
　次の明細書の記載を、明りょうでない記載の釈明を目的として訂正する。
（ｉ）明細書３頁８〜１５行の、
　「本発明は、上述した目的を達成するために、上シートと下シートとの所定部分に可変情報をプリントアウト（印字）した後、上シートと下シートとを重ね合わせる過程の途上において、前記両シートを剥離可能に接着しうる両面側に接着構成を有する中間シートを前記両シート間に配置し、この中間シートの接着構成を介して前記両シートを剥離可能に接着して一体化するものである。」
を、
　「本発明は、上述した目的を達成するために、連続上シートと連続下シートとの所定部分に連続的に可変情報をプリントアウト（印字）した後、連続上シートと連続下シートとを重ね合わせる過程の途上において、前記両連続シートを剥離可能に接着しうる両面側に接着構成を有する連続中間シートを前記両連続シート間に配置し、この連続中間シートの接着構成を介して前記両連続シートを剥離可能に接着して一体化した後、順次単位重ね合わせシート毎に分断するものである。」とする。
（ｉｉ）明細書４頁２〜１０行目の
　「上シートと下シートの間に、これら両シートを剥離可能に接着しうる中間シートを介在させて、前記両シートを剥離可能に接着するので、前記両シートの各対向面には接着剤を塗布する等の接着するための加工を施す必要がないため、ノンインパクトプリンタ等の適宜なプリンタを用いて、可変情報をプリントすることが可能となり、プリント作業が容易になるとともに、隠蔽できる情報量が増大する。」を、
　「連続上シートと連続下シートの間に、これら両連続シートを剥離可能に接着しうる連続中間シートを介在させて、前記両連続シートを剥離可能に接着するので、三シートの重ね合わせ一体化が連続的に効率よく行えると共に前記連続両シートの各対向面には接着剤を塗布する等の接着するための加工を施す必要がないため、ノンインパクトプリンタ等の適宜なプリンタを用いて、可変情報を連続的にプリントすることが可能となり、プリント作業が容易になるとともに、隠蔽できる情報量が増大する。」とする。
（ｉｉｉ）明細書２５頁１１行目の「シートを容」を「シートを連続的に容」とする。
３．訂正事項ｃ
　次の明細書又は図面の記載を、明りょうでない記載の釈明を目的として削除する。
（ｉ）明細書５頁４行目の「第８図」から、同１７行目の「面図、」までの記載、
　（なお、訂正請求書では「図面、」まで、となっているが、誤記と認める。）
（ｉｉ）明細書１５頁１５行目から、２２頁４行目までの記載
（ｉｉｉ）明細書２２頁７行目の「第１０図」から、同８行目の「であり、」までの記載
（ｉｖ）明細書２３頁１９行目から、２５頁８行目までの記載
（ｖ）明細書２６頁１３行目の「第８図〜」から、２７頁６行目の「示す断面図、」までの記載
（ｖｉ）明細書２７頁９行目の「１…葉書シート」から、同１７行目の「２９…重ね合わせ葉書」までの記載
（ｖｉｉ）図面の、「第８図」「第９図」「第１０図」「第１１図」「第１２図」「第１３図」「第１４図」「第１５図」
（５４）【発明の名称】
重ね合わせシートの作成方法
（５７）【特許請求の範囲】
　重ね合わせた際上位に位置する
連続
連続
連続
連続
連続
連続的に
連続
連続方向に連続的に
連続方向に連続的に
連続
連続
連続
連続
連続的に
連続
連続
連続
連続
両連続シートの連続方向に沿って連続的に
連続
連続
連続的に
した後、順次単位重ね合わせシート毎に分断
【発明の詳細な説明】
産業上の利用分野
　本発明は、上シートと下シートとを重ね合わせて一体化し、葉書やカード等の重ね合わせシートを作成する方法に関し、特に、前記両シート間に中間シートを介在させて前記両シートを剥離可能に接着し、一体化することにより、前記両シートの内面側に表示した各種可変情報を隠蔽できる重ね合わせシートの作成方法に関する。
従来の技術
　従来の一般的な各種情報を隠蔽できる重ね合わせシートは、一面に隠蔽情報が表示されたシートと、このシートの隠蔽情報表示面を被覆するシートとからなり、前記両シートは剥離可能に接着されて構成されている。そして、このような構成の重ね合わせシートは、隠蔽すべき情報が表示されているシートに対して、他方のシートを直接、その接着剤が塗布された面で剥離可能に接着することにより、作成されている。前述の剥離可能な接着は、接着剤の接着力を調整したり、隠蔽すべき情報が表示されているシートに剥離処理を施す等の手段により行われる。
発明が解決しようとする課題
　このように、従来は２枚のシートを直接剥離可能に接着して重ね合わせシートを作成していたので、各シートの対向面にそれぞれ情報を表示することは困難であり、一方のシートにのみ隠蔽すべき情報を表示し得るに過ぎず、他方のシートは、隠蔽すべき情報を被覆する機能しか有していなかった。このため、隠蔽すべき情報の表示量が少ないという欠点があった。
　本発明は、この欠点を解消して、隠蔽すべき情報の表示量を増大できる重ね合わせシートの作成方法を提供することを目的とする。
課題を解決するための手段
　本発明は、上述した目的を達成するために、
連続
連続
連続的に
連続
連続
連続
連続
連続
連続
連続
した後、順次単位重ね合せシート毎に分断
作用
　
連続
連続
連続
連続
連続
三シートの重ね合わせ一体化が連続的に効率よく行えると共に
連続
連続的に
実施例
　以下、本発明の好適な実施例を添付図面に基づいて詳細に説明する。
　ここにおいて、第１図〜第７図は連続状態のシートから重ね合わせ葉書を作成する場合の実施例を示し、第１図は作成装置の概略を示す説明図、第２図は中間シートを示す断面図、第３図は重ね合わせ葉書となるべき連続葉書シートを示す平面図、第４図は作成した重ね合わせ葉書を葉書上紙、葉書下紙及び中間シートに分解した状態を示す斜視図、第５図は作成した重ね合わせ葉書の断面図、第６図は作成装置の他の実施例の概略を示す説明図、第７図は作成した重ね合わせ葉書の断面図、第１６図〜第１８図は中間シートの他の実施例を示す断面図である。
　はじめに、連続葉書シートから重ね合わせ葉書を作成する場合の好適な第１の実施例を第１図〜第５図に基づいて説明する。
　本実施例の重ね合わせ葉書となるべき連続葉書シート３１は、第３図に示すように、長手方向に伸びる切り用ミシン目３２を境として幅方向に二等分されるとともに、幅方向に伸びる折り兼切り用ミシン目３３によって所定長に区分されることにより、連続状態にある上シートたる葉書上紙３４と連続状態にある下シートたる葉書下紙３５とに区分されている。各葉書上紙３４及び各葉書下紙３５には、両側縁と切り用ミシン目３２に沿って移送孔３６が等間隔に多数透設されたマージナル部３７が設けられ、これらマージナル部３７の境には、それぞれ長手方向に伸びる切り用ミシン目３８が設けられている。さらに、折り兼切り用ミシン目３３と、各葉書上紙３４及び各葉書下紙３５の第３図上、左側に位置する切り用ミシン目３８の内側には、これらと平行に伸びる開封用ミシン目３９，４０がそれぞれ設けられている。そして、各葉書上紙３４及び各葉書下紙３５の互いに重ね合わされる対向面側、すなわち第３図における葉書上紙３４の表面側と葉書下紙３５の裏面側には、あらかじめ適宜手段によって宛名人に関連する隠蔽すべき可変情報４１ａ，４１ｂ、たとえば預金残高や融資金返済残高等が印字される（第４図参照）一方、各葉書上紙３４の前記対向面とは反対面側、すなわち第３図における裏面側には宛名表示４２ａ（第４図及び第５図参照）が、また、各葉書下紙３５の前記対向面とは反対面側、すなわち第３図における表面側には、葉書の開封方法等を含む案内文や差出人の住所、名称等を表示した差出人表示４２ｂ（第５図参照）が同様に印字あるいは印刷されている。
　一方、第２図に示す連続状態にある中間シート４３は、葉書上紙３４及び葉書下紙３５と同一大であり、また、各切り用ミシン目３８，開封用ミシン目３９，４０、折り兼切り用ミシン目３３及び各移送孔３６に対応位置して、それぞれ切り用ミシン目４４ａ、開封用ミシン目４４ｂ（第４図参照），４４ｃ、折り兼切り用ミシン目（図示せず）及び移送孔４５が設けられている。前記中間シート４３は、ポリエチレン、ポリプロピレン等からなる合成樹脂製の透明フィルム４６ａ，４６ｂが、不完全な溶着によって剥離可能に形成された剥離層４７を介して疑似的に接着されるとともに、切り用ミシン目４４ａ及び開封用ミシン目４４ｃの外側部分では感熱性接着剤４８ａ，４８ｂによって剥離不能に接着されている。そして、前記各透明フィルム４６ａ，４６ｂの反対面側には、常時接着性を有する粘着剤４９ａ，４９ｂが全面的に塗布されたうえ、これら粘着剤４９ａ，４９ｂが剥離処理が施された剥離シート５０ａ，５０ｂで被覆されている。
　続いて、以上のように構成された連続葉書シート３１と中間シート４３を用いて、重ね合わせ葉書を作成する方法を、第１図に基づいて説明する。
　あらかじめ所定の印字あるいは印刷がなされた連続葉書シート３１と中間シート４３は、それぞれの折り兼切り用ミシン目３３（中間シート４３については図示せず）でジグザグ状に折り畳まれて所定位置に載置される。前記連続葉書シート３１は、第３図に示した面が下向きに位置する状態で折り畳み状態から引き出され、カッタ５１により切り用ミシン目３２で葉書上紙３４と葉書下紙３５とに分断されたうえ、上下に間隔をおいた移送ローラ５２に至る移送過程上で互いに上下に対応するように調整される。
　一方、中間シート４３は剥離シート５０ａ面が上に位置する状態で引き出され、案内ローラ５３を通過する際に、下面側の剥離シート５０ｂが剥離されて順次剥離シリンダ５４に巻き取られ、葉書上紙３４と葉書下紙３５との間に導かれる。中間シート４３が上下一対の移送ローラ５５を通過する際に、露出した粘着剤４９ｂによりそれぞれ折り兼切り用ミシン目３３が正確に上下に対応するようにして葉書下紙３５に重ねられる。さらに中間シート４３は、前記圧着ローラ５５を通過した直後に巻き上げローラ５６を介して上面側の剥離シート５０ａが剥離され、剥離シート５０ａは順次剥離シリンダ５７に巻き取られる。そして、葉書上紙３４、葉書下紙３５及び下面側で前記葉書下紙３５と重ねられるとともに上面側の粘着剤４９ａが露出した中間シート４３は、それぞれ折り兼切り用ミシン目３３が正確に上下に重なるように、移送孔３６を対応させてトラクタ５８のトラクタピンに係合されることにより、互いに正確に重なり合った状態で移送される。
　このように、互いに正確に重なり合った状態で移送された葉書上紙３４、葉書下紙３５及び中間シート４３は、上下一対の圧着ローラ５９を通過する際に、粘着剤４９ａ，４９ｂにより強固に接着されて一体化され、連続状態にある重ね合わせ葉書となる。ここにおいて、葉書上紙３４及び葉書下紙３５に印字された可変情報４１ａ，４１ｂは隠蔽状態となって、外部からは視認不能となる。続いて移送された連続状態にある重ね合わせ葉書は、両側に配置されたスリッタ６０により、各切り用ミシン目３８，４４ａから両側のマージナル部３７が切り落とされる。さらに移送された連続状態にある重ね合わせ葉書は、低速ローラ６１と高速ローラ６２との移送速度差により各折り兼切り用ミシン目３３で分断され、単片化された重ね合わせ葉書６３（第５図参照）となって、スタッカ６４上に順次積み重ねられる。
　重ね合わせ葉書６３は、すでに宛名表示４２ａ等の必要事項が印字あるいは印刷されているので、そのままの状態で投函可能である。一方、重ね合わせ葉書６３を受け取った宛名人は、その三周縁を開封用ミシン目３９，４０，４４ｂ，４４ｃから切り取ったうえ、前記重ね合わせ葉書６３を開封端から開くようにすると、中間シート４３の剥離層４７部分が剥離されて葉書上紙３４と葉書下紙３５とに分離され、各透明フィルム４６ａ，４６ｂを通して葉書上紙３４の隠蔽されていた可変情報４１ａと、葉書下紙３５の隠蔽されていた可変情報４１ｂとを視認することができる。
　なお、第１図に示すカッタ５１から中間シート
４３
　次に、連続葉書シートから重ね合わせ葉書を作成する場合の第２実施例を第６図及び第７図に基づいて説明する。
　本実施例に用いる連続葉書シートの構成は第１実施例と同様であるから対応する構成要素に同一符号を付してその詳細な説明は省略し、中間シートの構成のみを以下に説明する。中間シート６５は葉書上紙３４及び葉書下紙３５と同一大であり、また、各切り用ミシン目３８、開封用ミシン目３９，４０、折り兼切り用ミシン目３３及び各移送孔３６に対応位置して、それぞれ切り用ミシン目、折り兼切り用ミシン目及び移送孔が設けられている。これら各ミシン目のうち、前記開封用ミシン目４０に対応する開封用ミシン目６６が第７図に示されている。前記中間シート６５は、第７図で理解できるように、合成樹脂製の透明フィルム６７の一面には接着後に剥離可能な接着力の弱い透明な感熱性接着剤６８が全面的に塗布され、前記透明フィルム６７の他面には接着後は剥離不能な接着力の強い透明な感熱性接着剤６９が全面的に塗布されて構成されている。
　続いて、以上のように構成された連続葉書シート３１と中間シート６５を用いて、重ね合わせ葉書を作成する方法を、第６図に基づいて説明する。
　あらかじめ所定の印字あるいは印刷がなされた連続葉書シート３１と中間シート６５は、それぞれの折り兼切り用ミシン目３３（中間シート６５については図示せず）でジグザグ状に折り畳まれて所定位置に載置される。前記連続葉書シート３１は、葉書上紙３４の可変情報４１ａ表示面（第３図に示した面）が下向きに位置する状態で折り畳み状態から引き出され、カッタ７１により切り用ミシン目３２で葉書上紙３４と葉書下紙３５とに分断されたうえ、それぞれ移送ローラ７２に至る移送過程上で上下に重なり合うように調整される。一方、中間シート６５は感熱性接着剤６８塗布面が上に位置する状態で引き出され、案内ローラ７３により前記葉書上紙３４と前記葉書下紙３５との間に導かれる。そして、前記葉書上紙３４、前記葉書下紙３５及び前記中間シート６５は、それぞれ折り兼切り用ミシン目３３が正確に上下に重なるように、移送孔３６を対応させてトラクタ７４のトラクタピンに係合されることにより、互いに正確に重なり合った状態で移送される。
　このように、互いに正確に重なり合った状態で移送された葉書上紙３４、葉書下紙３５及び中間シート６５は、上下一対の加熱盤からなる加熱接着部７５を通過する際に、各感熱性接着剤６８，６９に接着条件である一定以上の熱が加えられて一体化され、連続状態にある重ね合わせ葉書となる。ここにおいて、葉書上紙３４及び葉書下紙３５に印字された可変情報４１ａ，４１ｂは隠蔽状態となって、外部からは視認不能となる。続いて移送された連続状態にある重ね合わせ葉書は、両側に配置されたスリッタ７６により、各切り用ミシン目３８から両側のマージナル部３７が切り落とされる。さらに移送された連続状態にある重ね合わせ葉書は、低速ローラ７７と高速ローラ７８との移送速度差により各折り兼切り用ミシン目３３で分断され、単片化された重ね合わせ葉書８０（第７図参照）となって、スタッカ７９上に順次積み重ねられる。
　重ね合わせ葉書８０は、すでに宛名表示４２ａ等の必要事項が印字あるいは印刷されているので、そのままの状態で投函可能である。一方、重ね合わせ葉書８０を受け取った宛名人は、その三周縁を開封用ミシン目３９，４０，６６から切り取ったうえ、前記重ね合わせ葉書８０の葉書上紙３４を中間シート６５から剥離することにより、前記葉書上紙３４の隠蔽されていた可変情報４１ａは直接、また、葉書下紙３５の隠蔽されていた可変情報４１ｂは透明フィルム６７を通して視認することができる。
　第１６図〜第１８図は、それぞれ中間シートの他の実施例を示す。第１６図に示す中間シート８１は、各透明フィルム１５ａ，１５ｂ間の剥離層１６が一側端部を除いて設けられ、この一側端部には常時接着力を有する剥離不能な接着剤８２が塗布され、また、接着剤８２塗布部分の内側に沿って開封用ミシン目８３が設けられている。前記接着剤８２に換えて、各透明フィルム１５ａ，１５ｂを完全に溶着することにより接着してもよい。この中間シート８１を用いる葉書シートには、前記中間シート８１を挟んで折り重ねあるいは切り重ねた状態において、前記開封用ミシン目８３に対応する位置に開封用ミシン目を設けておけばよい。
　また、第１７図に示す中間シート８４は、第１６図の中間シート８１をさらに変形したもので、前記中間シート８１における透明フィルム１５ａ及び接着剤８２を除去した構成となっている。
　さらに、第１８図に示す中間シート８５は、透明シート８６の両面における開封用ミシン目８７の内側には接着後に剥離可能な感圧性、感熱性等の接着剤８８を塗布し、前記開封用ミシン目８７の外側には接着後は剥離不能な感圧性、感熱性等の接着剤８９を塗布して構成したものである。この中間シート８５を用いる葉書シートには、前記中間シート８５を挟んで折り重ねあるいは切り重ねた状態において、前記開封用ミシン目８７に対応する位置に開封用ミシン目を設けておけばよい。そして、各開封用ミシン目８７で切断した後の中間シート８５は、接着剤８８が剥離可能であるから上シート及び下シートから離反して除去可能となるので、不透明であっても支障はないものである。
効果
　以上の説明で明らかなように、本発明によれば、各種可変情報を隠蔽できる重ね合わせシートを
連続的に
【図面の簡単な説明】
　図は本発明の好適な実施例を示すもので、第１図〜第７図は連続状態のシートから重ね合わせ葉書を作成する場合の実施例を示し、第１図は作成装置の概略を示す説明図、第２図は中間シートを示す断面図、第３図は重ね合わせ葉書となるべき連続葉書シートを示す平面図、第４図は作成した重ね合わせ葉書を葉書上紙、葉書下紙及び中間シートに分解した状態を示す斜視図、第５図は作成した重ね合わせ葉書の断面図、第６図は作成装置の他の実施例の概略を示す説明図、第７図は作成した重ね合わせ葉書の断面図、第１６図〜第１８図は中間シートの他の実施例を示す断面図である。
３１・・・連続葉書シート　　　３２・・・切り用ミシン　　　目３３・・・折り兼切り用ミシン目　　　
３４・・・葉書上紙　　　３５・・・葉書下紙
４１ａ，４１ｂ・・・可変情報　　　４３・・・中間シート　　　６３，８０・・・重ね合わせ葉書　　　５１，７１・・・カッタ　　　５４，７４・・・トラクタ　　　５９・・・圧着ローラ
６１，７７・・・低速ローラ　　　６２，７８・・・高速ローラ　　　６５・・・中間シート　　　
７５・・・加熱接着部　　　８１，８４，８５・・・中間シート